(57)【要約】【課題】携帯端末に保護フィルムを高い精度で貼付することができる保護フィルム貼付装置、保護フィルム、保護フィルム貼付用治具及び保護フィルム貼付方法を提供することを目的とする。【解決手段】保護フィルム貼付け装置は、後述する保護フィルム貼付用治具Ａ及び保護フィルム３より成る。保護フィルム貼付用治具Ａは、板状の形状を有し、略中央に、平面視で略長方形の形状であり、携帯電子機器の一例である携帯端末Ｍを収容可能な収容部１が設けられている。収容部１の長手方向の一端側には、平面視で略長方形の形状の取付部２が設けられている。保護フィルム３は取付部２に取付けられる。【選択図】図３
2020134556.tif 000002
【特許請求の範囲】
【請求項１】
携帯電子機器に貼付可能であり、少なくとも一部が透視性のあるシート体と、前記シート体の貼付面とは反対側の面である被保護面を被覆する保護部及び該保護部に連設された把持部を含む保護用剥離シートを有する保護フィルムと、
その内面の少なくとも一部に、前記シート体が貼付される携帯電子機器の外縁が当接した状態で同携帯電子機器を収容可能に構成された収容部と、前記シート体が、前記収容部に収容された携帯電子機器の前記収容部とは反対側であり、かつ、同携帯電子機器の貼付位置に配置されるように前記把持部を取付け可能な取付部を有する保護フィルム貼付用治具とを備える
保護フィルム貼付装置。
【請求項２】
前記収容部は、その底面と、同底面から前記取付部が設けられた位置までを高さとする前記内面の少なくとも一部とで構成される下部収容部によって、前記収容部に収容された携帯電子機器の一部を収容する
請求項１に記載された保護フィルム貼付装置。
【請求項３】
前記保護用剥離シートは、前記保護部と前記把持部との間に、同保護部と同把持部とを切離し可能な切離部が設けられている
請求項１または請求項２に記載された保護フィルム貼付装置。
【請求項４】
携帯電子機器に貼付可能であり、少なくとも一部が透視性のあるシート体と、
前記シート体の貼付面とは反対側の面である被保護面を被覆する保護部と、
前記シート体を、所定の収容部に位置決めされた状態で収容された携帯電子機器の同収容部とは反対側であり、かつ、同携帯電子機器の貼付位置に配置可能に取り付ける、前記保護部に連設された把持部とを備える
保護フィルム。
【請求項５】
その内面の少なくとも一部に、携帯電子機器の外縁が当接した状態で同携帯電子機器を収容可能に構成された収容部と、
前記収容部に収容された携帯電子機器に貼付するシート体を、同携帯電子機器の前記収容部とは反対側であり、かつ、同携帯電子機器の貼付位置に配置されるように位置せしめる取付部とを備える
保護フィルム貼付用治具。
【請求項６】
保護フィルム貼付用治具に設けられた収容部の内面の少なくとも一部に、その外縁を当接させた状態で携帯電子機器を収容する収容工程と、
少なくとも一部が透視性のあるシート体と、貼付面用剥離シートが被覆している前記シート体の貼付面とは反対側の面である被保護面を被覆する保護部を有する保護フィルムを、前記収容部に収容した前記携帯電子機器の前記収容部とは反対側であり、かつ、同携帯電子機器の貼付位置に配置されるように、前記保護フィルム貼付用治具に取付ける取付工程と、
前記保護フィルム貼付用治具に取り付けた前記保護フィルムの、前記シート体の貼付面を被覆する貼付面用剥離シートを剥離し、露出した前記貼付面を前記携帯電子機器に貼付ける貼付工程と、
前記携帯電子機器に貼り付けられた前記シート体から、前記保護部を剥離する剥離工程とを備える
保護フィルム貼付方法。
【発明の詳細な説明】
【技術分野】
【０００１】
本発明は、保護フィルム、保護フィルム貼付用治具、保護フィルム貼付装置及び保護フィルム貼付方法に関する。詳しくは、携帯電子機器に高い精度で貼付することができる保護フィルム、保護フィルム貼付用治具、保護フィルム貼付装置及び保護フィルム貼付方法に係るものである。
【背景技術】
【０００２】
近年では、携帯電子機器の新しい機種が次々と発表されており、デザインの改善或いはユーザのニーズに応じて、機種ごとに異なるサイズで発売されている。
【０００３】
また、表示画面に直接擦過痕などの傷が付く、あるいは表示画面に汚れが付着することを抑止するために、多くの場合、携帯電子機器の表示画面上に保護フィルムを貼付する。しかし、保護フィルムを貼付する際に、保護フィルムの貼付位置がずれてしまう、或いは保護フィルムにシワが寄ってしまうなどして、保護フィルムを精度良く貼付することは困難である。
【０００４】
これを解決するために、特許文献１に示す、保護フィルムを保持するフィルム保持部と携帯電子機器を取付け可能な装置取付部を備える保護フィルム貼付用治具が提案されている。具体的には、特許文献１に記載する保護フィルム貼付用治具は、フィルム保持部に保護フィルムの接着面を上方に向けて配置し、その上から携帯電子機器の画像表示面が接着面と対向するように、携帯電子機器を装置取付部に取付ける。そして、その後治具を上下反転させて保護フィルムを押さえながら画像表示面に保護フィルムを貼付するものである。
【先行技術文献】
【特許文献】
【０００５】
【特許文献１】特許５８４５３７０号
【発明の概要】
【発明が解決しようとする課題】
【０００６】
しかしながら、特許文献１に記載の保護フィルム貼付用治具では、保護フィルムの上から携帯電子機器を取付けるために、貼付作業時の保護フィルムと携帯電子機器との位置関係の目視確認が行い難く、精度よく保護フィルムを貼付することが困難であった。
【０００７】
本発明は以上の点に鑑みて創案されたものであり、携帯電子機器に高い精度で貼付することができる携帯電子機器に高い精度で貼付することができる保護フィルム、保護フィルム貼付用治具、保護フィルム貼付装置及び保護フィルム貼付方法を提供することを目的とする。
【課題を解決するための手段】
【０００８】
上記課題を解決するために、本発明の保護フィルム貼付装置は、携帯電子機器に貼付可能であり、少なくとも一部が透視性のあるシート体と、前記シート体の貼付面とは反対側の面である被保護面を被覆する保護部及び該保護部に連設された把持部を含む保護用剥離シートを有する保護フィルムと、その内面の少なくとも一部に、前記シート体が貼付される携帯電子機器の外縁が当接した状態で同携帯電子機器を収容可能に構成された収容部と、前記シート体が、前記収容部に収容された携帯電子機器の前記収容部とは反対側であり、かつ、同携帯電子機器の貼付位置に配置されるように前記把持部を取付け可能な取付部を有する保護フィルム貼付用治具とを備える。
【０００９】
ここで、シート体の少なくとも一部が透視性を有することによって、携帯電子機器に貼付された際、シート体を介して携帯電子機器を視認することができる。
また、シート体は、携帯電子機器の全部を被覆しても、一部のみを被覆しても良い。例えば、画像表示部のみを被覆するシート体、画像表示部以外の領域のみを被覆するシート体も含まれる。
【００１０】
さらに、シート体の透視性を有する部分は「少なくとも一部」であり、シート体の全部が透視性を有する場合の他、シート体の一部が透視性を有する場合も含まれる。例えば、シート体が部分的に不透明素材により形成されている場合や、シート体の一部に模様が施されている場合であっても、その他の部分が透視性を有するのであれば、本発明の「シート体」に含まれる。
【００１１】
加えて、保護用剥離シートが、シート体の貼付面とは反対側の面である被保護面を被覆する保護部を含むことによって、シート体の被保護面を保護部で被覆することができ、携帯電子機器にシート体を貼付する作業の際、シート体の被保護面に擦過痕などが生じるのを抑制することができる。
【００１２】
また、保護用剥離シートが、保護部に連設された把持部を含むことによって、把持部を介してシート体を取付部に取付けることができる。
【００１３】
さらに、保護フィルム貼付用治具が、その内面の少なくとも一部に、シート体が貼付される携帯電子機器の外縁が当接した状態で携帯電子機器を収容可能に構成された収容部を有することによって、内面の少なくとも一部もしくは内面全体に携帯電子機器の外縁が当接することで、収容部内での携帯電子機器の位置決めを容易に行うことができる。
【００１４】
加えて、取付部に把持部を取付けることで、シート体が、収容部に収容された携帯電子機器の収容部とは反対側に配置されることによって、位置決めされた携帯電子機器にシート体を近接せしめる際に、シート体と携帯電子機器との位置関係の目視確認を容易に行うことができる。
また、取付部に把持部を取付けることで、シート体が、携帯電子機器の貼付位置に配置されることによって、携帯電子機器に対するシート体の位置決めを容易に行うことができる。
これにより、携帯電子機器とシート体間のズレが生じることを抑止できるので、シート体を精度よく貼付することができる。
【００１５】
また、収容部は、その底面と、底面から取付部が設けられた位置までを高さとする内面の少なくとも一部とで構成される下部収容部によって、収容部に収容された携帯電子機器の一部を収容する場合には、下部収容部から携帯電子機器が張出して収容されていることから、携帯電子機器の位置が取付部よりも高い位置にあるので、携帯電子機器と作業者の目の距離が短くなり、シート体をより精度よく貼付することができる。
【００１６】
また、保護用剥離シートは、保護部と把持部との間に、保護部と把持部とを切離し可能な切離部が設けられる場合には、保護部と把持部とを容易に切離すことができる。即ち、把持部を取付部に取付けて、シート体の貼付面を携帯電子機器に貼付した後、切離部で保護部と把持部を切離すことで、シート体が貼付された携帯電子機器を保護フィルム貼付用治具から切離すことができる。
【００１７】
また、上記課題を解決するために、本発明の保護フィルムは、携帯電子機器に貼付可能であり、少なくとも一部が透視性のあるシート体と、前記シート体の貼付面とは反対側の面である被保護面を被覆する保護部と、前記シート体を、所定の収容部に位置決めされた状態で収容された携帯電子機器の同収容部とは反対側であり、かつ、同携帯電子機器の貼付位置に配置可能に取り付ける、前記保護部に連設された把持部とを備える。
【００１８】
ここで、シート体の少なくとも一部が透視性を有することによって、携帯電子機器に貼付された際、シート体を介して携帯電子機器を視認することができる。
また、シート体は、携帯電子機器の全部を被覆しても、一部のみを被覆しても良い。例えば、画像表示部のみを被覆するシート体、画像表示部以外の領域のみを被覆するシート体も含まれる。
【００１９】
さらに、シート体の透視性を有する部分は「少なくとも一部」であり、シート体の全部が透視性を有する場合の他、シート体の一部が透視性を有する場合も含まれる。例えば、シート体が部分的に不透明素材により形成されている場合や、シート体の一部に模様が施されている場合であっても、その他の部分が透視性を有するのであれば、本発明の「シート体」に含まれる。
【００２０】
加えて、シート体の貼付面とは反対側の面である被保護面を被覆する保護部を備えることによって、シート体の被保護面を保護部で被覆することができ、携帯電子機器にシート体を貼付する作業の際、シート体の被保護面に擦過痕などが生じるのを抑制することができる。
【００２１】
また、保護用剥離シートが、保護部に連設された把持部を含むことによって、把持部を介してシート体を取付部に取付けることができる。
【００２２】
そして、把持部を取付けることで、シート体が、所定の収容部に位置決めされた状態で収容された携帯電子機器の収容部とは反対側に配置されることによって、位置決めされた携帯電子機器にシート体を近接せしめる際に、シート体と携帯電子機器との位置関係の目視を容易に行うことができる。
また、把持部を取付けることで、シート体が、携帯電子機器の貼付位置に配置可能となることによって、携帯電子機器に対するシート体の位置決めを容易に行うことができる。
これにより、携帯電子機器とシート体間のズレが生じることを抑止できるので、シート体を精度よく貼付することができる。
【００２３】
また、上記課題を解決するために、本発明の保護フィルム貼付用治具は、その内面の少なくとも一部に、携帯電子機器の外縁が当接した状態で同携帯電子機器を収容可能に構成された収容部と、前記収容部に収容された携帯電子機器に貼付するシート体を、同携帯電子機器の前記収容部とは反対側であり、かつ、同携帯電子機器の貼付位置に配置されるように位置せしめる取付部とを備える。
【００２４】
ここで、保護フィルム貼付用治具が、その内面の少なくとも一部に、携帯電子機器の外縁が当接した状態で携帯電子機器を収容可能に構成された収容部を有することによって、その内面の少なくとも一部若しくは全部に携帯電子機器を当接させることで、収容部内での携帯電子機器の位置決めを容易に行うことができる。
【００２５】
また、シート体が、収容部に収容された携帯電子機器の収容部とは反対側に配置されることによって、位置決めされた携帯電子機器にシート体を近接せしめる際に、シート体と携帯電子機器との位置関係の目視確認を容易に行うことができる。
そして、シート体が、収容部に収容された携帯電子機器の貼付位置に配置されることによって、携帯電子機器に対するシート体の位置決めを容易に行うことができる。
これにより、携帯電子機器とシート体間のズレが生じることを抑止できるので、シート体を精度よく貼付することができる。
【００２６】
また、上記課題を解決するために、本発明の保護フィルム貼付方法は、保護フィルム貼付用治具に設けられた収容部の内面の少なくとも一部に、その外縁を当接させた状態で携帯電子機器を収容する収容工程と、少なくとも一部が透視性のあるシート体と、貼付面用剥離シートが被覆している前記シート体の貼付面とは反対側の面である被保護面を被覆する保護部を有する保護フィルムを、前記収容部に収容した前記携帯電子機器の前記収容部とは反対側であり、かつ、同携帯電子機器の貼付位置に配置されるように、前記保護フィルム貼付用治具に取付ける取付工程と、前記保護フィルム貼付用治具に取り付けた前記保護フィルムの、前記シート体の貼付面を被覆する貼付面用剥離シートを剥離し、露出した前記貼付面を前記携帯電子機器に貼付ける貼付工程と、前記携帯電子機器に貼り付けられた前記シート体から、前記保護部を剥離する剥離工程とを備える。
【００２７】
ここで、収容工程において、保護フィルム貼付用治具に設けられた収容部の内面の少なくとも一部に、その外縁を当接させた状態で携帯電子機器を収容することによって、収容部の内面の一部に携帯電子機器の外縁が当接させて、収容部内での携帯電子機器の位置決めを容易に行った状態で収容することができる。
【００２８】
また、取付工程において、少なくとも一部が透視性のあるシート体と、貼付面用剥離シートが被覆しているシート体の貼付面とは反対側の面である被保護面を被覆する保護部を有する保護フィルムを、収容部に収容した携帯電子機器の収容部とは反対側であり、かつ、携帯電子機器の貼付位置に配置されるように、保護フィルム貼付用治具に取付けることによって、携帯電子機器とシート体間にズレが生じることを抑制できる。
【００２９】
そして、貼付工程において、保護フィルム貼付用治具に取り付けた保護フィルムの、シート体の貼付面を被覆する貼付面用剥離シートを剥離し、露出した貼付面を携帯電子機器に貼付けることによって、保護フィルムを携帯電子機器に精度良く貼付することができる。
具体的には、上述した取付工程で携帯電子機器とシート体間にズレが生じることを抑止でき、また、貼付する際携帯電子機器の貼付位置を目で確認しながら貼付することができるので、保護フィルムを携帯電子機器に精度良く貼付することができるのである。
【００３０】
さらに、剥離工程において、携帯電子機器に貼付けられたシート体から、保護部を剥離することによって、シート体の被保護面を貼付作業終了後に露出させることができるので、被保護面に作業中に擦過痕などが生じることを抑制することができる。
【発明の効果】
【００３１】
加えて、本発明に係る保護フィルム貼付装置、保護フィルム、保護フィルム貼付用治具及び保護フィルム貼付方法は、携帯電子機器に高い精度で貼付することができる保護フィルム、保護フィルム貼付用治具、保護フィルム貼付装置及び保護フィルム貼付方法となっている。
【図面の簡単な説明】
【００３２】
【図１】本発明の実施の形態に係る保護フィルム貼付用治具の斜視図である。
【図２】第１の実施例にかかる保護フィルムの説明図であって、図２（ａ）は、保護フィルムの斜視説明図、図２（ｂ）は保護フィルムの構造を示す部分断面図である。
【図３】第１の実施例の保護フィルム貼付用治具と保護フィルムの斜視分解図である。
【図４】第１の実施例に係る保護フィルム貼付用治具の使用方法の説明図である。
【図５】本発明に係る保護フィルム貼付方法のフローチャートである。
【図６】取付部の他の実施例である。
【発明を実施するための形態】
【００３３】
以下、本発明の保護フィルム貼付装置、保護フィルム、保護フィルム貼付用治具について図１乃至図４を参照しながら説明し、本発明の理解に供する。
【００３４】
保護フィルム貼付け装置は、後述する保護フィルム貼付用治具Ａ及び保護フィルム３より成り、図１を参照して保護フィルム貼付用治具Ａについて最初に説明し、次に図２を参照して保護フィルム３について説明する。なお、本実施例において、保護フィルム貼付用治具Ａの説明は、保護フィルム貼付用治具Ａを平らな面上に水平に置いた状態を基準として述べ、図１及び図３において、後述する収容部１が開口している方向を上方として矢印Ｕで示し、下方を矢印Ｄとして示している。
【００３５】
保護フィルム貼付用治具Ａは、ＰＥＴ（Ｐｏｌｙｅｔｈｙｌｅｎｅ  ｔｅｒｅｐｈｔｈａｌａｔｅ）素材で形成され、板状の形状を有し、略中央に、平面視で略長方形の形状であり、携帯電子機器の一例である携帯端末Ｍ（図３に記載）を収容可能な収容部１が設けられている。
【００３６】
収容部１は、平面視で携帯端末Ｍの外縁を模した形状に形成された開口部である縁部１０、縁部１０の全周から略鉛直下方に垂設された内壁１１、内壁１１の下端から略水平方向に形成された底面１２から成る。なお、保護フィルム貼付用治具Ａの上面Ａ１の外縁Ａ２と縁部１０の間に、縁部１０を囲むように平面部Ａ３が形成されている。
【００３７】
収容部１の長手方向の一端側には、平面視で略長方形の形状の取付部２が設けられている。取付部２は、保護フィルム貼付用治具Ａの幅方向を長手方向として平面視で略長方形に形成されており、取付面２０と二つの突出した係合突起２１ａ、２１ｂから成る。なお、取付け部２が設けられる場所は、収容部１の周縁に限られるものではなく、収容部１から離間していても、後述するように、携帯端末Ｍの表面Ｍ２を被覆することができればよい。
【００３８】
なお、本実施例においては、保護フィルム３の表裏面を間違えて貼付してしまうことを抑止する構造を採用している。具体的には、係合突起２１ａ、２１ｂの大きさを敢えて変え（係合突起２１ａが係合突起２１ｂよりも径大に形成されている）、後述する保護フィルム３の貫通孔３１ｂ１、３１ｂ２も同様に大きさを変えた構造としている。
【００３９】
この構造によれば、孔径の小さな貫通孔に外径の大きな係合突起は入らないので、保護フィルム３を保護フィルム貼付用治具Ａに取り付けることができない。これにより、保護フィルム３の表裏面を間違えて貼付してしまうことを抑止することができる。
【００４０】
また、取付面２０は、平面部Ａ３よりも約２ｍｍ低い位置に設けられており、平面部Ａ３から取付面２０にかけて上縁部２２が形成されており、取付部２０から内壁１１にかけて下縁部２３が形成されている。
【００４１】
即ち、上縁部２２から約２ｍｍ低い位置に下縁部２３が設けられているので、取付部２の下縁部２３から垂設された内壁１１ａは、その高さ方向の幅が、縁部１０から垂設された内壁１１よりも狭く形成されている。
【００４２】
また、内壁１１ａは、携帯端末Ｍが収容部１に収容される際、携帯端末Ｍの一端部Ｍ１が当接する当接面１１ｂとなっている。一端部Ｍ１を当接面１１ｂに当接させることで、収容部１内での携帯端末Ｍの長手方向の位置決めを行うことができる。なお、内壁１１ａに連続する、長手方向に設けられた内壁１１ｃ、１１ｄについても当接面とすることで収容部１内での携帯端末Ｍの幅方向の位置決めを行うことができる。
【００４３】
そして、取付面２０から底面１２にかけての深さは、本実施例では、収容される携帯端末Ｍの厚みよりも浅く設けられている。これにより、収容部１内に携帯端末Ｍを収容した際には、携帯端末Ｍの画像表示部が表示されている、表示面Ｍ２は取付面２０よりも上方Ｕに位置している。
【００４４】
また、底面１２には、携帯端末Ｍの背面よりも張出して設けられたカメラのレンズ部分（図示せず）を収容するためのカメラレンズ用凹部１３が設けられている。このように、底面１２は、凹凸のある携帯端末Ｍの背面に対応した形状となっているので、携帯端末Ｍを収容部１に収容する際、携帯端末Ｍの背面の形状に影響されることなく、携帯端末Ｍを略水平な状態で収容することができる。即ち、後述するように、携帯端末Ｍに保護フィルム３を貼付する際、高い精度で貼付することができる。
【００４５】
また、収容部１の長手方向の他端部には、携帯端末Ｍを収容部１から出し入れする際、指を挿入する指挿入部１４が設けられている。指挿入部１４は、縁部１０が保護フィルム貼付用治具Ａの上面Ａ１の外縁Ａ２側へ凸状に張出すと共に、保護フィルム貼付用治具Ａの幅方向を長手方向として平面視で略長方形に形成されている。これにより、携帯端末Ｍの他端部Ｍ４に指をかけることで、収容部１へ携帯端末Ｍを収容する際、携帯端末Ｍが底面１２に携帯端末Ｍの背面が接するまで他端部Ｍ４を支持できるので、携帯端末Ｍに衝撃を与えることなく収納することができる。
【００４６】
同様に、携帯端末Ｍの長手方向の外縁Ｍ３から突出して設けられている音量スイッチの形状に合わせた凹み部１５ａ、及び電源スイッチの形状に合わせた凹み部１５ｂが形成されている。これにより、携帯端末Ｍ全体を収容部１の内壁１１に密着あるいは適度に近接させて収容することができ、収容部１内で正確に位置決めすることができるだけでなく、携帯端末を入れる際には収容部の開口部口縁への電源スイッチの引っ掛かりを抑制し、携帯端末を入れた後は収容部の内壁に当接して電源スイッチが押される等の誤作動を抑制する。
【００４７】
次に、図２を用いて保護フィルム３について説明する。
保護フィルム３は、透明で、厚さ０．３３ミリのガラス製のシート体３０と、保護用剥離シート３１及び貼付用剥離シート３２から成る。シート体３０は、柔らかい材質の場合もあるが、本実施例においては一定の硬さがあるものとして記載する。保護用剥離シート３１は、シート体３０が携帯端末Ｍに貼付された際、最上面に位置する被保護面３０ａを被覆する。貼付用剥離シート３２は、シート体３０を携帯端末Ｍの表示面Ｍ２に貼付される貼付面３０ｂを被覆する。
【００４８】
シート体３０は、本実施例においては、携帯端末Ｍの表示面Ｍ１の全面を被覆するサイズであるが、このサイズに限られるものではない。表示面Ｍ１の一部を被覆するサイズであってもよい。
【００４９】
被保護面３０ａと保護用剥離シート３１の間に設けられた貼着層３３ａにより、保護用剥離シート３１は、被保護面３０ａに貼付されている。また、貼付面３０ｂと貼付用剥離シート３２の間に設けられた貼着層３３ｂにより、貼付用剥離シート３２は、貼付面３０ｂに貼付されている。
【００５０】
なお、保護用剥離シート３１と貼付用剥離シート３２は、必ずしも透明である必要はなく、半透明あるいは不透明であってもよい。
【００５１】
保護用剥離シート３１は、シート体３０の被保護面３０ａの全面を被覆する、略長方形の保護部３１ａと、保護部３１ａから連設された把持部３１ｂとから成る。
【００５２】
把持部３１ｂには、二つの貫通孔３１ｂ１、３１ｂ２が設けられている。二つの貫通孔３１ｂ１、３１ｂ２を取付部２の係合突起２１ａ、２１ｂに嵌入することで、保護フィルム３は取付部２に取付けられる。このとき、貫通孔３１ｂ１、３１ｂ２は、継合片２１ａ、２１ｂの径に合わせて形成されており、貫通孔３１ｂ１は、貫通孔３１ｂ２よりも径大に形成されている。これにより、貫通孔３１ｂ２を係合突起２１ａに嵌入させることはできないため、保護フィルム３の被保護面３０ａと貼付面３０ｂとを間違えて、被保護面３０ａを携帯端末Ｍの表示面Ｍ１に貼付してしまうことを抑止することができる。
【００５３】
なお、取付部及び貫通孔の係合は、本実施例のものに限られず、図４に記載するように様々な形状が考えられる。以下、詳述する。
【００５４】
図４（ａ）に記載するように、取付部の両端に設けられた色彩表示部３１ｃ２、３１ｃ３を異なる色で着色し、平面部Ａ３上であって色彩表示部３１ｃ２の近傍に、色彩表示部３１ｃ２と同一色の色彩表示部３１ｃ１、色彩表示部３１ｃ３の近傍に、色彩表示部３１ｃ３と同一色の色彩表示部３１ｃ４も対応する色で着色する。この様にすることで、色彩により保護フィルムの表裏面を正しく認識することができる。
【００５５】
また、図４（ｂ）に記載するように、把持部３１ｄに設けられた貫通孔３１ｄ１を円形にし、３１ｄ２を方形にすることで、保護フィルムの表裏面を正しく認識することができる。
【００５６】
また、図４（ｃ）に記載するように、把持部３１ｅに設けられた貫通孔３１ｅ１、３１ｅ２自体の形状を左右非対称とすることで、保護フィルムの表裏面を正しく認識することができる。
【００５７】
また、図４（ｄ）に記載するように、把持部３１ｆに設けられた貫通孔３１ｆ１を縦長の形状にし、貫通孔３１ｆ２を横長の形状にすることで、保護フィルムの表裏面を正しく認識することができる。
【００５８】
また、図４（ｅ）に記載するように、把持部３１ｇに設けられた貫通孔３１ｇ１自体の形状を左右非対称とすることで、保護フィルムの表裏面を正しく認識することができる。
【００５９】
また、携帯端末Ｍは、表示面Ｍ２が上方に位置するように収容部１内に収容されると共に、携帯端末Ｍの外縁Ｍ３が当接面１１ｂに当接されているので、収容部１内での位置決めを正確に行うことができる。
【００６０】
また、携帯端末Ｍの位置決めと併せて、保護フィルム３についても、貫通孔３１ｂ１、３１ｂ２が係合突起２１ａ、２１ｂに嵌入して取付けられているので、取付部２に対して正確に位置決めされている。
【００６１】
さらに、取付部２の取付面２０が収容部１の当接面１１ｂと下縁部２３で接して設けられていることから、携帯端末Ｍの表示面Ｍ１と保護シート３相互の位置決めを正確に行うことができるので、表示面Ｍ１と保護シート３とがずれてしまうことを抑止することができる。
【００６２】
また、シート体３０は、サイズに関わらず貼付することができるので、携帯端末Ｍの表示面Ｍ１の全面に貼付することもでき、或いは表示面Ｍ１の一部のみを被覆するサイズとすることもできる。これにより、少なくとも同一の形状を有する携帯端末であれば、シート体３０のサイズに関わりなく、同一の保護フィルム用貼付装置を使用することができるので、高い汎用性を有する。
【００６３】
〔保護フィルム３の貼付方法〕
次に、図５を用いて、保護フィルム貼付用治具Ａを用いた保護フィルム３の貼付方法を説明する。
【００６４】
（１）収容工程（ＳＴ１）
保護フィルム貼付用治具Ａの収容部１内に、携帯端末Ｍの表示面Ｍ２が上面となるように、その外縁Ｍ３を内面１１の一部である当接面１１ｂに当接させて収容する。このとき、携帯端末Ｍの一端部Ｍ１（使用状態において上方に位置する側）から収容部１内に入れ、外縁Ｍ３のうち一端部Ｍ１側の外縁Ｍ３ａを当接面１１ｂに当接させることで、携帯端末Ｍの収容部１内での位置決めを正確に行ことができる。
【００６５】
また、携帯端末Ｍの他端部Ｍ４（使用状態において下方に位置する側）を収容部１内に入れる際、取付部２と対向する位置に指挿入部１４が設けられていることで、携帯端末Ｍの他端部Ｍ４を指で支持した状態で徐々に携帯端末Ｍを収容部１内に収容することができる。
【００６６】
（２）取付工程（ＳＴ２）
シート体３０を被覆する保護用剥離シート３１の把持部３１ｂに設けられた貫通孔３１ｂ１、３１ｂ２に、取付部２の係合突起２１ａ、２１ｂを嵌入させる。保護フィルム３を取付部２に取付けることで、取付部２に対する保護フィルム３の位置決めを正確に行うことができ、保護フィルム３は携帯端末Ｍの表示面Ｍ２を被覆する位置に正確に配置される。
【００６７】
（３）貼付工程（ＳＴ３）
取付部２に把持部３１ｂを介して取付けられたシート体３０の貼付面３０ｂを被覆する貼付用剥離シート３２を剥いで、貼付面用剥離シート３２が剥離されて露出した貼付面３０ｂを、携帯端末Ｍの表示面Ｍ２に貼付する。
【００６８】
そして、当接面１１ｂと取付部２が下縁部２３で接していることから、作業者は目視により携帯端末Ｍの表示面Ｍ２と保護フィルム３との位置を正確に把握することができるので、表示面Ｍ２と保護フィルム３の位置を確認しながら精度よく貼り付けることができる。
【００６９】
なお、実際に貼付する場合には、図６に示すように、貼付用剥離シート３２を少しずつ剥ぎながら、保護用剥離シート３１を介してシート体３０を指で押さえながら少しずつ貼付することで、空気泡が生じるのを抑止することができるので好ましい。また、収容部１内の空間の一部を占め、底面１２から取付け面２０が設けられた位置までを高さとする内壁１１の一部とで構成される下部収容部（図示せず）が設けられている場合には、表示面２０よりも携帯端末Ｍの表示面Ｍ２が高い位置（上方）にあり、表示面Ｍ２と作業者の目の距離が短くなり、より精度よく貼付することができる。
【００７０】
（４）切離工程（ＳＴ４）
携帯端末Ｍの表示面Ｍ２に貼付されたシート体３０を被覆する保護用剥離シート３１の保護部３１ａと把持部３１ｂを切取り線３４で切離す。これにより、シート体３０が貼付された携帯端末Ｍと保護フィルム貼付用治具Ａを切離すことができる。
【００７１】
（５）剥離工程（ＳＴ５）
シート体３０の被保護面３０ａを被覆する保護用剥離シート３１の保護部３１ａを剥ぐ。これにより、被保護面３０ａを露出させることができる。
なお、切離し工程（ＳＴ４）と剥離工程（ＳＴ５）は、作業の順番を入れ替えてもよい。
【００７２】
上記の方法で保護フィルム３を携帯端末Ｍの表示面Ｍ１に精度よく貼付することができる。また、保護フィルム３のサイズに関わりなく貼付することができるので、表示面Ｍ１全体を覆うことも可能であり、汎用性に優れる。
【００７３】
このように、本発明に係る保護フィルム貼付装置、保護フィルム、保護フィルム貼付用治具及び保護フィルム貼付方法は、携帯電子機器に高い精度で貼付することができる携帯電子機器に高い精度で貼付することができる保護フィルム、保護フィルム貼付用治具、保護フィルム貼付装置及び保護フィルム貼付方法となっている。
【符号の説明】
【００７４】
１  収容部
１１  内面
２  取付部
３  保護フィルム
３０  シート体
３０ａ  被保護面
３０ｂ  貼付面
３１  保護用剥離シート
３１ａ  保護部
３１ｂ  把持部
Ａ  保護フィルム貼付用治具
Ｍ  携帯端末（携帯電子機器）
Ｍ３  外縁
【図１】
2020134556.tif 000003
【図２】
2020134556.tif 000004
【図３】
2020134556.tif 000005
【図４】
2020134556.tif 000006
【図５】
2020134556.tif 000007
【図６】
2020134556.tif 000008
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
携帯電子機器に貼付可能であり、少なくとも一部が透視性のあるシート体と、前記シート体の貼付面とは反対側の面である被保護面を被覆する保護部及び該保護部に連設された把持部を含む保護用剥離シートを有する保護フィルムと、
その内面に、前記シート体が貼付される携帯電子機器の外縁が当接して位置決めされた状態で同携帯電子機器を収容可能に構成された収容部と、前記シート体が、前記収容部に位置決めされて収容された携帯電子機器の前記収容部とは反対側であり、かつ、前記収容部の長手方向の一端側にのみ設けられ、同携帯電子機器の貼付位置に配置されるように前記把持部を取付け可能な取付部を有する保護フィルム貼付用治具とを備え、
前記収容部は、底面と、同底面から前記取付部が設けられた取付面までを高さとする前記内面で構成され、携帯電子機器の表示面が、前記取付面よりも高い位置にあるように前記携帯電子機器の厚み方向の一部を収容する下部収容部を有する
保護フィルム貼付装置。
【請求項２】
前記保護用剥離シートは、前記保護部と前記把持部との間に、同保護部と同把持部とを切離し可能な切離部が設けられている
請求項１に記載された保護フィルム貼付装置。
【請求項３】
その内面に、携帯電子機器の外縁が当接して位置決めされた状態で同携帯電子機器を収容可能に構成された収容部と、
前記収容部に位置決めされて収容された携帯電子機器に貼付するシート体を、同携帯電子機器の前記収容部とは反対側であり、かつ、前記収容部の長手方向の一端側にのみ設けられ、同携帯電子機器の貼付位置に配置されるように位置せしめる取付部とを備え、
前記収容部は、底面と、同底面から前記取付部が設けられた取付面までを高さとする前記内面で構成され、携帯電子機器の表示面が、前記取付面よりも高い位置にあるように前記携帯電子機器の厚み方向の一部を収容する下部収容部を有する
保護フィルム貼付用治具。
【請求項４】
保護フィルム貼付用治具に設けられた収容部の内面に、その外縁を当接させて位置決めされた状態で、かつ携帯電子機器の表示面が、保護フィルムを取り付ける取付部が設けられた取付面よりも高い位置にあるように、前記収容部に前記携帯電子機器を収容する収容工程と、
少なくとも一部が透視性のあるシート体と、貼付面用剥離シートが被覆している前記シート体の貼付面とは反対側の面である被保護面を被覆する保護部を有する保護フィルムを、前記保護フィルム貼付用治具の、前記収容部に位置決めされて収容された前記携帯電子機器の前記収容部とは反対側であり、かつ、同収容部の長手方向の一端側にのみ設けられた前記取付部に取付ける取付工程と、
前記保護フィルム貼付用治具に取り付けた前記保護フィルムの、前記シート体の貼付面を被覆する前記貼付面用剥離シートを剥離し、露出した前記貼付面を前記携帯電子機器の貼付位置に貼付ける貼付工程と、
前記携帯電子機器に貼り付けられた前記シート体から、前記保護部を剥離する剥離工程とを備える
保護フィルム貼付方法。
【請求項５】
前記貼付工程において、前記貼付用剥離シートを剥離しながら、露出した貼付面を、前記保護用剥離シートを介して前記シート体を押さえて貼付する
請求項４に記載の保護フィルム貼付方法。
【手続補正３】
【補正対象書類名】明細書
【補正対象項目名】０００１
【補正方法】変更
【補正の内容】
【０００１】
本発明は、保護フィルム貼付用治具、保護フィルム貼付装置及び保護フィルム貼付方法に関する。詳しくは、携帯電子機器に高い精度で貼付することができる保護フィルム貼付用治具、保護フィルム貼付装置及び保護フィルム貼付方法に係るものである。
【手続補正４】
【補正対象書類名】明細書
【補正対象項目名】０００７
【補正方法】変更
【補正の内容】
【０００７】
本発明は以上の点に鑑みて創案されたものであり、携帯電子機器に高い精度で貼付することができる保護フィルム貼付用治具、保護フィルム貼付装置及び保護フィルム貼付方法を提供することを目的とする。
【手続補正５】
【補正対象書類名】明細書
【補正対象項目名】００３１
【補正方法】変更
【補正の内容】
【００３１】
加えて、本発明に係る保護フィルム貼付装置、保護フィルム貼付用治具及び保護フィルム貼付方法は、携帯電子機器に高い精度で貼付することができる保護フィルム貼付用治具、保護フィルム貼付装置及び保護フィルム貼付方法となっている。
【手続補正６】
【補正対象書類名】明細書
【補正対象項目名】００６９
【補正方法】変更
【補正の内容】
【００６９】
なお、実際に貼付する場合には、図６に示すように、貼付用剥離シート３２を少しずつ剥ぎながら、保護用剥離シート３１を介してシート体３０を指で押さえながら少しずつ貼付することで、空気泡が生じるのを抑止することができるので好ましい。また、収容部１内の空間の一部を占め、底面１２から取付面２０が設けられた位置までを高さとする内壁１１の一部とで構成される下部収容部が設けられている場合には、取付面２０よりも携帯端末Ｍの表示面Ｍ２が高い位置（上方）にあり、表示面Ｍ２と作業者の目の距離が短くなり、より精度よく貼付することができる。